(57)【特許請求の範囲】
【請求項１】
列方向に延びる複数個の第１の電極と、行方向に延びる複数個の第２の電極と、前記第１の電極と前記第２の電極との間に介在し前記第１及び第２の電極に電圧を印加することによってそれらの間を流れる電流により発光する有機発光層と、を有し、平面視で１個の前記第１の電極と１個の前記第２の電極とが交わる領域に１個の副画素が設けられ、行方向に一定の順序で並べられた３色の副画素により１主画素が構成され、前記第１の電極は表示列数の２倍の数だけ設けられ、前記第２の電極は２表示行につき１個設けられ、隣り合う表示行間において前記主画素同士が互いに行方向に半分ずれて配列され、同一の第１の電極に設けられた複数個の副画素の発光色は１色に統一されているカラー有機ＥＬディスプレイを駆動する方法であって、前記第１の電極をデータ電極とし前記第２の電極を走査電極としてパッシブマトリクス駆動することを特徴とするカラー有機ＥＬディスプレイの駆動方法。
【請求項２】
前記第１の電極は、表示行数の半数の電荷注入部と、これらの電荷注入部同士を接続する配線部と、を有することを特徴とする請求項１に記載のカラー有機ＥＬディスプレイの駆動方法。
【請求項３】
前記配線部と前記第２の電極との間での発光を防止する発光防止膜が前記配線部上に設けられていることを特徴とする請求項２に記載のカラー有機ＥＬディスプレイの駆動方法。
【請求項４】
前記配線部と前記第２の電極との間での発光による光が前記第１の電極から外部に漏れることを防止する遮蔽膜が前記配線部に積層されていることを特徴とする請求項２又は３に記載のカラー有機ＥＬディスプレイの駆動方法。
【請求項５】
前記副画素は、行方向の長さを１としたとき列方向の長さが２．７乃至１０／３である長方形の形状を有していることを特徴とする請求項１乃至４のいずれか１項に記載のカラー有機ＥＬディスプレイの駆動方法。
【請求項６】
少なくとも前記２表示行において同時に表示するために必要とされる容量のラインメモリを少なくとも１つ有することを特徴とする請求項１乃至５のいずれか１項に記載のカラー有機ＥＬディスプレイの駆動方法。
【発明の詳細な説明】
【０００１】
【発明の属する技術分野】
本発明は薄型のディスプレイとして開発が進められているカラー有機ＥＬ（electro-luminescence：エレクトロルミネッセンス）ディスプレイの駆動方法に関し、特に、表示品質の向上を図ったカラー有機ＥＬディスプレイの駆動方法に関する。
【０００２】
【従来の技術】
カラー有機ＥＬディスプレイは、液晶表示装置（ＬＣＤ）及びプラズマディスプレイパネル等と同様に薄型のカラー表示装置として着目されている。図４はＥＬ素子及びその発光原理を示す模式的断面図である。
【０００３】
ＥＬ素子は次のように構成されている。即ち、ガラス又はフィルム製の透明基板１２１上に透明な酸化インジウムスズ（ＩＴＯ）電極１２２が正極として形成されている。更に、ＩＴＯ電極１２２上に、有機正孔注入層１２３及び有機発光層１２４が順次堆積され、更にその上に金属電極１２５が負極として形成されている。そして、ＩＴＯ電極１２２と金属電極１２５との間に電圧が印加されると、有機発光層１２４から透明基板１２１側に光が放出される。
【０００４】
なお、有機ＥＬ素子の構造としては、両電極間に有機発光層のみが設けられた構造、両電極間に有機正孔注入輸送層、有機発光層及び有機電子注入輸送層が順次積層された構造、並びに両電極間に有機正孔注入層、有機正孔輸送層、有機発光層及び有機電子輸送層が順次積層された構造等もある。
【０００５】
このようなカラー表示装置の副画素の配列パターンとして、例えばストライプパターン、モザイクパターン及びデルタパターンがある。図５は従来のストライプパターンを示す模式図、図６は従来のデルタパターンを示す模式図、図７は従来のモザイクパターンを示す模式図である。
【０００６】
従来のストライプパターンにおいては、図５に示すように、列方向に延びる複数本の第１の電極１０１が設けられている。第１の電極１０１がＩＴＯ電極１２２に相当する。各第１の電極１０１の横方向（行方向）の長さは、１画素の横方向の長さの約１／３である。第１の電極１０１上には、有機発光層等を介して行方向に延びる複数本の第２の電極１０４が設けられている。第２の電極１０４が金属電極１２５に相当する。第２の電極１０４の幅は、１画素の縦方向（列方向）の長さと同程度である。第１の電極１０１は、表示列数と同数だけ設けられており、第２の電極１０４は、表示行数と同数だけ設けられている。なお、第１及び第２の電極１０１、１０４間に形成された有機発光層の発光色は、列毎に統一されており、赤色（Ｒ）、緑色（Ｇ）及び青色（Ｂ）の順で繰り返されている。
【０００７】
このような構成のストライプパターンでは、第１の電極１０１と第２の電極１０４との交点に１個の副画素が存在し、行方向に並べられた３色の副画素によって１個の画素が構成される。
【０００８】
ストライプパターンでは、列方向では、同一の発光色の副画素が連続して配置されているため、表等の縦線及び横線が多い映像の表示には好適である。
【０００９】
また、従来のデルタパターンでは、図６に示すように、列方向に延び表示列数の１．５倍の数の第１の電極１１１が設けられている。各第１の電極１１１には、電荷注入部１１２及び配線部１１３が交互に設けられている。電荷注入部１１２の横方向及び縦方向の長さは、いずれも画素の横方向及び縦方向の長さの半分程度であり、電荷注入部１１２は正方形状又はこれに近い形状を有している。配線部１１３については、縦方向における長さは画素のそれの半分程度であるが、その横方向の長さは電荷注入部１１２のそれと比較すると極めて狭い。電荷注入部１１２及び配線部１１３は、第１の電極１１１の１個当たり表示行数と同数だけ設けられている。また、行方向では、電荷注入部１１２と配線部１１３とが交互に配置されている。更に、第１の電極１１１上には、有機発光層等を介して行方向に延びる複数本の第２の電極１１４が設けられている。第２の電極１１４は、表示行数と同数だけ設けられている。第１の電極１１１がＩＴＯ電極１２２に相当し、第２の電極１０４が金属電極１２５に相当する。
【００１０】
このような構成のデルタパターンでは、行方向で隣り合う２色の電荷注入部１１２とこれらの直上又は直下に配置され発光色が異なる１色の電荷注入部１１２とで１個の画素が構成される。即ち、「Δ」又はその上下を反対にした形状の頂点に位置する３個の電荷注入部１１２により１個の画素が構成される。
【００１１】
デルタパターンでは、ストライプパターンと比較すると副画素の配列の不規則度が高いため、自然画及び動画の表示に好適である。
【００１２】
また、従来のモザイクパターンにおいては、図７に示すように、第１及び第２の電極１０１、１０４が、図５に示すストライプパターンと同様に配置されている。但し、両電極間に形成された有機発光層の発光色は、１行毎に１副画素ずつ一定方向にずれている。従って、１個の第１の電極１０１に着目すると、３行毎に同一の発光色が得られる。このようなモザイクパターンでも、行方向に並べられた３色の副画素によって１個の画素が構成される。
【００１３】
モザイクパターンは、ストライプパターン及びデルタパターンの利点を兼ね備えたものである。カラーＬＣＤでは、例えば特開平７−２４８４８２号公報及び特開平１０−７８５９０号公報に、モザイクパターンのものが記載されている。
【００１４】
【発明が解決しようとする課題】
しかしながら、従来のストライプパターンにおいては、列方向では同色の副画素が連続している一方で、行方向では３色の副画素が順番に隣接して配置されているため、３色の副画素が同程度に発光する白線以外の映像を表示する場合には縦線と横線とで表示品質が相違するという問題点がある。即ち、白線の場合には縦線でも横線でも連続した線として表示できる一方で、他の色の線の場合には、横線を細かい点線として表示することになるため、両方向間で表示品質が相違してしまう。
【００１５】
また、従来のデルタパターンでは、ストライプパターンとは対照に、ギザギザな線により縦線を表示するため、その表示品位が低下して表等の縦横の直線が多い映像の表示には適さないという問題点がある。
【００１６】
更に、従来のモザイクパターンでは、１個の第１の電極１０１が３色の副画素に含まれているため、即ち、１個の第１の電極１０１により３色の発光を行う必要があるため、各色の信号の出力順を１表示行毎に入れ替える必要があり、信号処理が煩雑であるという問題点がある。
【００１７】
また、いずれのパターンを採用した場合であっても、近時の画素数が多いディスプレイでは、第１の電極を駆動する駆動回路を２個設けてパネルを上下に２分割して駆動する方法が採られているが、２個の駆動回路の特性にずれがあると、表示された画像が上下間で不連続なものとして認識されてしまう。更に、上下に２分割して駆動する場合には、１／２画面分のデータ信号を記憶するための比較的大容量のフレームメモリが必要とされ、コストが高くなってしまう。
【００１８】
本発明はかかる問題点に鑑みてなされたものであって、駆動方法を煩雑化させることなく表示品質を向上させることができるカラー有機ＥＬディスプレイの駆動方法を提供することを目的とする。
【００１９】
【課題を解決するための手段】
本願発明に係るカラー有機ＥＬディスプレイの駆動方法は、列方向に延びる複数個の第１の電極と、行方向に延びる複数個の第２の電極と、前記第１の電極と前記第２の電極との間に介在し前記第１及び第２の電極に電圧を印加することによってそれらの間を流れる電流により発光する有機発光層と、を有し、平面視で１個の前記第１の電極と１個の前記第２の電極とが交わる領域に１個の副画素が設けられ、行方向に一定の順序で並べられた３色の副画素により１主画素が構成され、前記第１の電極は表示列数の２倍の数だけ設けられ、前記第２の電極は２表示行につき１個設けられ、隣り合う表示行間において前記主画素同士が互いに行方向に半分ずれて配列され、同一の第１の電極に設けられた複数個の副画素の発光色は１色に統一されているカラー有機ＥＬディスプレイを駆動する方法であって、前記第１の電極をデータ電極とし前記第２の電極を走査電極としてパッシブマトリクス駆動することを特徴とする。
【００２０】
本発明においては、同一の第１の電極に設けられた複数個の副画素の発光色を１色に統一しているため、第１の電極の駆動が簡素なものとなる。また、同色の副画素間の間隔が列方向及び行方向間で比較的均一なものとなるため、自然画、動画並びに表等の縦線及び横線が多い映像のいずれを表示する場合であっても、滑らかな表示が可能となる。更に、隣り合う２表示行で同時に表示を行うことが可能となるため、パネルを上下に２分割しなくても高速走査が可能となり、また、映像データを記憶するためのメモリの容量を低減することが可能となる。
【００２１】
なお、前記第１の電極は、表示行数の半数の電荷注入部と、これらの電荷注入部同士を接続する配線部と、を有することができる。
【００２２】
また、前記配線部と前記第２の電極との間での発光を防止する発光防止膜を前記配線部上に設けることにより、又は前記配線部と前記第２の電極との間での発光による光が前記第１の電極から外部に漏れることを防止する遮蔽膜を配線部に積層することにより、不要箇所における表示を防止してより一層良好な画質を得ることが可能となる。
【００２３】
更に、前記副画素は、行方向の長さを１としたとき列方向の長さが２．７乃至１０／３である長方形の形状を有することが好ましい。
【００２４】
更にまた、少なくとも前記２表示行において同時に表示するために必要とされる容量、例えば１表示行分の映像データを記憶できる容量のラインメモリを少なくとも１つ設けてもよい。
【００２６】
【発明の実施の形態】
以下、本発明の実施例に係るカラー有機ＥＬディスプレイについて、添付の図面を参照して具体的に説明する。図１は本発明の実施例に係るカラー有機ＥＬディスプレイを示す模式図である。
【００２７】
本実施例においては、表示列数の２倍の数の第１の電極（データ電極）１が設けられている。第１の電極１は、従来のものと同様に、列方向に延びている。各第１の電極１には、電荷注入部２及び配線部３が交互に設けられている。電荷注入部２の横方向（行方向）における長さは画素のそれの１／３程度であり、縦方向（列方向）における長さは画素のそれと同程度である。電荷注入部２の横方向及び縦方向の長さは、例えば夫々０．１０８ｍｍ、０．３６ｍｍ程度である。即ち、電荷注入部２は、長方形状であり、その縦横の長さの比は、例えば２７：１０乃至１０：３程度であるが、これに限定されるものではない。配線部３については、その縦方向の長さは画素のそれと同程度であるが、その横方向の長さは電荷注入部２のそれと比較すると極めて狭い。電荷注入部２及び配線部３は、第１の電極１の１個当たり表示行数の半分の数だけ設けられている。また、行方向では、電荷注入部２と配線部３とが交互に配置されている。
【００２８】
また、第１の電極１上には、有機発光層等（図示せず）を介して行方向に延びる複数本の第２の電極（走査電極）４が設けられている。第２の電極４の幅は、画素の縦方向の長さの２倍程度（例えば、約０．７２ｍｍ）であり、１個の第２の電極４により、２表示行分の電荷注入部２が覆われている。
【００２９】
第１及び第２の電極１、４間に設けられた有機発光層の発光色は、第１の電極１毎に統一されており、１表示行では、電荷注入部２上に赤色（Ｒ）、緑色（Ｇ）及び青色（Ｂ）の順で有機発光層が繰り返し形成されている。また、隣り合う表示行間では、１方の表示行で隣り合う２色の有機発光層間に位置する配線部３に接続された電荷注入部２上に他の１色の有機発光層が形成されている。即ち、ある表示行で赤色の有機発光層と緑色の有機発光層とが隣り合っている部分の１行分だけ上又は下の行に青色の有機発光層が形成され、緑色の有機発光層と青色の有機発光層とが隣り合っている部分の１行分だけ上又は下の行に赤色の有機発光層が形成され、青色の有機発光層と赤色の有機発光層とが隣り合っている部分の１行分だけ上又は下の行に緑色の有機発光層が形成されている。
【００３０】
なお、第１の電極１（電荷注入部２）がＩＴＯ電極１２２に相当し、第２の電極４が金属電極１２５に相当する。
【００３１】
このような電極パターンにおいては、行方向に赤色、緑色及び青色の順に並んだ３個の副画素で１個の画素（主画素）が構成されるとすると、隣り合う表示行間において、画素が互いに１／２個ずれた配列となっている。
【００３２】
図２は本発明の実施例に係るカラー有機ＥＬディスプレイの回路構成を示すブロック図である。本実施例には、上述のような電極パターンのパネル１１に接続されたカラムドライバ１２及び１３が設けられている。カラムドライバ１２は、１個の第２の電極４に覆われた２表示行のうち上側の表示行、即ち上から奇数番目の表示行に電荷注入部２が位置する第１の電極１に接続されている。一方、カラムドライバ１３は、前記２表示行のうち下側の表示行、即ち上から偶数番目の表示行に電荷注入部２が位置する第１の電極１に接続されている。そして、カラムドライバ１２及び１３に、夫々信号処理回路１４及び１５が３系統で接続されている。更に、信号処理回路１４にラインメモリ１６が３系統で接続され、信号処理回路１５及びラインメモリ１６にアナログ／デジタル（Ａ／Ｄ）変換器１７が３系統で接続されている。Ａ／Ｄ変換器１７には、３色のアナログデータ信号Ｒ、Ｇ及びＢが入力される。また、上述のような電極パターンのパネル１１の第２の電極４を走査するロードライバ１８が設けられている。更に、垂直同期信号ＶＳ及び水平同期信号ＨＳを入力し、カラムドライバ１２及び１３、信号処理回路１４及び１５、ラインメモリ１６、Ａ／Ｄ変換器１７並びにロードライバ１８の動作を制御するコントローラ１９が設けられている。コントローラ１９は、垂直同期信号ＶＳ及び水平同期信号ＨＳに基づいてクロック信号及びロードライバに設けられたシフトレジスタのスタートパルス等の制御信号を生成する。
【００３３】
次に、このようにして構成された本実施例のカラー有機ＥＬディスプレイの動作について説明する。本実施例のカラー有機ＥＬディスプレイは、パッシブマトリクス方式により駆動する。
【００３４】
Ａ／Ｄ変換器１７にアナログデータ信号Ｒ、Ｇ及びＢが入力されると、これらの信号が夫々デジタル信号に変換される。デジタル化された各データ信号は、奇数行目のものはラインメモリ１６に出力され、偶数行目のものは信号処理回路１５に出力される。偶数行目のデータ信号は、信号処理回路１５によって、ラッチ、デジタル／アナログ変換及びγ補正等を受けた後、カラムドライバ１３に出力される。一方、奇数行目のデータ信号は、ラインメモリ１６に１表示行分記憶された後信号処理回路１４に出力され、偶数行目のデータ信号と同時に、ラッチ、デジタル／アナログ変換及びγ補正等を受け、カラムドライバ１２に出力される。一方、ロードライバ１８は、垂直同期信号ＶＳ及び水平同期信号ＨＳに基づいて第２の電極４を走査する。そして、カラムドライバ１２及び１３により第１の電極１にデータ信号が供給されると、走査が行われている第２の電極４と第１の電極１との間の２表示行で同時に副画素が発光する。
【００３５】
このような本実施例によれば、同色の副画素間の間隔が、従来のストライプパターンと比較すると、列方向及び行方向間で近似したものとなっているため、自然画又は動画を表示する場合であっても、表示品質を両方向間でほぼ均一なものとすることができる。また、同色の副画素が離散的に配置されるため、有機発光層の形成工程において使用するメタルマスクとして網目状に開口部が形成されたものを使用することができる。従来のストライプパターンでは、簾状に開口部が形成されたものを使用する必要があるため、特定方向における強度が弱いという問題点があるが、本実施例のディスプレイを製造する場合には、その強度が著しく向上したメタルマスクを使用することが可能となる。このため、メタルマスクの変形が防止され、パターニング精度が向上する。
【００３６】
また、従来のデルタパターンと比較すると、縦線のギザギザが抑制される。更に、同数の表示行のディスプレイとする場合、従来のデルタパターンと比較すると、電荷注入部の行数を半分に低減することができる。
【００３７】
更にまた、１個の第１の電極１は１色の副画素のみに対応しているので、従来のモザイクパターンと比較すると、駆動回路（カラムドライバ１２及び１３）の構成を簡略化すると共に、その駆動方法を簡易なものとすることが可能である。
【００３８】
また、本実施例では、２個のカラムドライバ１２及び１３により１個の第２の電極４が含まれる２表示行分を同時に駆動するため、パネルを２分割駆動する方法と等価な駆動方法であるにもかかわらず、図２に示すように、ロードライバ１８は１個あれば十分である。更に、１表示行ずつ駆動する従来のディスプレイと比較すると、第２の電極４の幅が約２倍となるため、その形成にあたってパターニング精度を確保しやすい。また、幅が広くなることにより抵抗値が低減されるという効果も得られる。更に、パネルを２分割駆動する方法と等価な駆動方法であっても、メモリには１表示行分の表示データを記憶させておけばよいので、従来のフレームメモリのような大容量のメモリは必要とされず、図２に示すようなラインメモリ１６を使用して同等以上の画質を得ることが可能である。更にまた、各カラムドライバ１２及び１３により駆動される表示行が常に連続しているため、カラムドライバ１２及び１３間で特性に若干のずれがあったとしても、そのことによる映像の不連続感は認識されない。
【００３９】
なお、第１の電極１は、例えばガラス基板上にフォトリソグラフィにより形成することができ、第２の電極４は、有機発光層等の形成後に、例えばシャドウマスクを使用したパターニングにより形成することができる。
【００４０】
また、配線部３と第２の電極４との間には、配線部３と第２の電極４との間での発光を防止する発光防止膜又はその発光が生じたとしてもその外部への漏洩を遮蔽する遮蔽膜が形成されていることが好ましい。図３（ａ）は発光防止膜が設けられた実施例を示す断面図、（ｂ）は遮蔽膜が設けられた実施例を示す断面図である。
【００４１】
発光防止膜が設けられる場合、図３（ａ）に示すように、ガラス基板５上に電荷注入部２及び配線部３を備えた第１の電極１が形成され、配線部３上に、例えば絶縁性のポリイミド膜６が形成されている。そして、全面に有機正孔注入層７が形成され、その上に副画素の発光色に応じた有機発光層８が形成されている。更に、第２の電極４が２表示行毎に形成されている。ポリイミド膜６が存在しない場合には、有機発光層８が形成されていない第１の電極１と第２の電極４との間においても、有機正孔注入層７の存在により発光することがあるが、ポリイミド膜６が存在していれば、その領域では、第１の電極１と第２の電極４との間で電流が流れないため、その領域での発光が防止される。この結果、不要箇所での発光の防止により、高品質の映像を得ることができる。なお、発光防止膜は、図３（ａ）に示すように、配線部３上のみならず、行方向で隣り合う第１の電極間においてもガラス基板上に設けられていることが好ましい。このように、行方向で隣り合う第１の電極間にも発光防止膜を設けることにより、発光の漏れをより一層防止することが可能となる。
【００４２】
一方、遮蔽膜が設けられる場合、図３（ｂ）に示すように、配線部３上に、例えばＮｉ、Ａｕ又はＣｒ等からなる金属配線９が形成されている。そして、発光防止膜が設けられる場合と同様に、有機正孔注入層７、有機発光層８及び第２の電極４が形成されている。このような構成のカラー有機ＥＬディスプレイでは、金属配線９と第２の電極４との間で発光するものの、その光は金属配線９によって遮蔽されるので、外部には漏出しない。従って、不要箇所での発光の防止により、高品質の映像を得ることができる。また、金属配線９により、電荷注入部２間の抵抗値が低減される。このような抵抗値低減の効果は、図３（ａ）に示すように発光防止膜が設けられる場合にも、配線部３上に金属配線を形成することによって得られる。従って、発光防止膜が設けられる場合にも、金属配線９を設けることが好ましい。また、図３（ｂ）においては、配線部３上のみに遮蔽膜としての金属配線９が形成されているが、遮蔽膜は、図３（ａ）に示す発光防止膜のように、配線部３上のみならず、配線部３と行方向で隣り合う第１の電極間における配線部３とこの第１の電極とが互いに接触しない範囲内においてガラス基板上に設けることができる。このように、行方向で隣り合う第１の電極間にも遮蔽膜を設けることにより、発光の漏れをより一層防止することが可能となる。
【００４３】
なお、電極間の構成は、発光防止膜又は遮蔽膜のいずれが設けられる場合であっても、また、これらの膜が形成されない場合であっても、図３に示すものに限定されるものではなく、例えば、両電極間に有機発光層のみを設けてもよく、両電極間に有機正孔注入輸送層、有機発光層及び有機電子注入輸送層を順次積層してもよく、両電極間に有機正孔注入層、有機正孔輸送層、有機発光層及び有機電子輸送層を順次積層してもよい。
【００４４】
更に、上述の実施例では、２表示行を同時に表示するためにラインメモリ１６が設けられているが、この替わりに遅延線が設けられていてもよい。
【００４５】
【発明の効果】
以上詳述したように、本発明によれば、同一の第１の電極に設けられた複数個の副画素の発光色を１色に統一しているため、第１の電極の駆動を簡素なものとすることができる。また、同色の副画素間の間隔が列方向及び行方向間で比較的均一なものとなるため、自然画、動画並びに表等の縦線及び横線が多い映像のいずれを表示する場合であっても、滑らかな表示を行うことができる。更に、隣り合う２表示行で同時に表示を行うことが可能となるため、パネルを２分割して同時に駆動する方法と等価な駆動方法を採用することができるため、高速走査が可能となり、駆動回路の特性が若干ずれていたとしても、パネルの上下間で連続した映像を表示することができる。また、映像データを記憶するためのメモリの容量を低減することができる。
【図面の簡単な説明】
【図１】本発明の実施例に係るカラー有機ＥＬディスプレイを示す模式図である。
【図２】本発明の実施例に係るカラー有機ＥＬディスプレイの回路構成を示すブロック図である。
【図３】（ａ）は発光防止膜が設けられた実施例を示す断面図、（ｂ）は遮蔽膜が設けられた実施例を示す断面図である。
【図４】ＥＬ素子及びその発光原理を示す模式的断面図である。
【図５】従来のストライプパターンを示す模式図である。
【図６】従来のデルタパターンを示す模式図である。
【図７】従来のモザイクパターンを示す模式図である。
【符号の説明】
１；第１の電極
２；電荷注入部
３；配線部
４；第２の電極
５；ガラス基板
６；ポリイミド膜
７；有機正孔注入層
８；有機発光層
９；金属配線
１１；パネル
１２、１３；カラムドライバ
１４、１５；信号処理回路
１６；ラインメモリ
１７；Ａ／Ｄ変換器
１８；ロードライバ
【図１】
0003548844.tif 000002
【図２】
0003548844.tif 000003
【図３】
0003548844.tif 000004
【図４】
0003548844.tif 000005
【図５】
0003548844.tif 000006
【図６】
0003548844.tif 000007
【図７】
0003548844.tif 000008